(57)【要約】【課題】筆記具に設けた遊戯情報にアクセサリーパーツの情報を関連させ、筆記具本体にアクセサリーパーツを着脱して遊戯情報をより楽しむことができる筆記具を提供すること。【解決手段】筆記具Ａを筆記具本体１と、該筆記具本体１に着脱可能なアクセサリーパーツ２とで構成し、上記筆記具本体１の周面の全体又は一部には遊戯情報ａを表示し、アクセサリーパーツ２には上記筆記具本体１に表示した遊戯情報ａに関連する視覚情報ｂを備えるようにし、上記アクセサリーパーツ２を上記筆記具本体１に取着することにより遊戯情報ａの情報を遊びに反映できるようにした。【選択図】図１
2008290253.tif 000002
【特許請求の範囲】
【請求項１】
周面の全体又は一部に遊戯情報が表示された筆記具本体と、該筆記具本体の遊戯情報に関連する視覚情報を備えるとともに、上記筆記具本体に着脱可能なアクセサリーパーツとを備えたことを特徴とする筆記具。
【請求項２】
前記遊戯情報を文字情報で構成するとともに、前記アクセサリーパーツの視覚情報を上記文字情報に関連させた、請求項１記載の筆記具。
【請求項３】
前記遊戯情報をキャラクターなどの絵柄で構成し、前記アクセサリーパーツは透明な筒状に形成するとともに、前記視覚情報は上記絵柄を装飾する装飾絵柄で構成し、該装飾絵柄をアクセサリーパーツの表面に配置した、請求項１記載の筆記具。
【発明の詳細な説明】
【技術分野】
【０００１】
本発明は、筆記具、詳しくは筆記具本体に遊戯情報を表示し、この遊戯情報に関連する情報を備えたアクセサリーパーツを筆記具本体に着脱可能にした筆記具に関するものである。
【背景技術】
【０００２】
従来、筆記具に遊戯情報を表示し、この筆記という本来の機能には関係ないが、この遊戯情報を利用して筆記具本来の筆記するという機能に遊戯的な機能を備えた筆記具が提案されている（例えば、特許文献１）。この筆記具は、鉛筆本体の外周面の周方向に並べて遊戯情報を表示し、鉛筆本体の一端に転動停止部材を止着したもので、この転動停止部材は、いずれか１つの遊戯情報表示領域を上に向けた位置で鉛筆本体を停止させるように外周を六角形状にしたものである。
【特許文献１】登録実用新案第３０３７２６９号公報
【発明の開示】
【発明が解決しようとする課題】
【０００３】
本発明が解決しようとする問題点は、上述の鉛筆は遊戯者が机の上などで鉛筆を転がし、停止したときに上面に出ている遊戯の情報がその時の「出目」であり、この「出目」の如何によってゲームに利用することができるようにしたもので、停止したときの遊戯情報が確実に把握できるように転動停止部材を設けたものであるが、サイコロの代用としての機能を備えているが、鉛筆自体で遊戯情報を活用して楽しむことができないものであった。
【０００４】
本発明は、上記問題点を解決し、筆記具に設けた遊戯情報にアクセサリーパーツの情報を関連させ、筆記具本体にアクセサリーパーツを着脱して遊戯情報をより楽しむことができる筆記具を提供することを課題とする。
【課題を解決するための手段】
【０００５】
前記課題を解決するために本発明に係る筆記具は、周面の全体又は一部に目で見える遊戯情報が表示された筆記具本体と、該筆記具本体の遊戯情報に関連する視覚情報を備えるとともに上記筆記具本体に着脱可能なアクセサリーパーツとを備えたことを特徴とする。
【０００６】
なお、前記遊戯情報を文字情報で構成し、前記視覚情報は該文字情報に関連する情報で構成することが好ましい。
【０００７】
また、前記遊戯情報をキャラクターなどの絵柄で構成した場合は、前記アクセサリーパーツは透明な筒状に形成するとともに、前記視覚情報は上記絵柄を装飾する装飾絵柄で構成し、該装飾絵柄をアクセサリーパーツの表面に配置すればよい。
【発明の効果】
【０００８】
請求項１の発明によれば、筆記具本体に設けた遊戯情報にアクセサリーパーツの情報を関連させ、筆記具本体にアクセサリーパーツを装着することにより、アクセサリーパーツの情報を楽しむことができる筆記具を実現することができる。
【０００９】
請求項２の発明によれば、遊戯情報を文字情報で構成しアクセサリーパーツの視覚情報を文字情報に関連する情報で構成したので、文字情報を読んで遊ぶだけではなくアクセサリーパーツの情報でさらに文字情報を興味のあるものにすることができる。
【００１０】
請求項３の発明によれば、アクセサリーパーツを筆記具本体に装着することにより、筆記具本体に表示された絵柄に、アクセサリーパーツの装飾絵柄が重なり、絵柄の変化を楽しむことができる。
【発明を実施するための最良の形態】
【００１１】
図１は、本発明に係る筆記具の一例を示すもので、この筆記具Ａは筆記具本体１と、この筆記具本体１に着脱できるアクセサリーパーツ２とから構成されている。
【００１２】
上記筆記具本体１には文字情報ａ１で構成された遊戯情報ａが表示されている。この文字情報ａ１は、筆記具本体１の周方向に並接して配置され、筆記具本体１を転がして止まったところで上面に表示されている文字情報ａ１を読み取って遊びに反映することができるようにしたもので、本発明ではこの文字情報ａ１を占い情報で構成した。この占い情報ａ１は、その日のラッキーカラーが何色であるかを表示しているもので、例えば「あなたの本日のラッキーカラーは水色です」、「あなたの本日のラッキーカラーは黄色です」という具合に文章が構成されていればよい。
【００１３】
アクセサリーパーツ２は、筆記具本体１が挿通可能に形成された樹脂製のリング３にチェーン４ａやナスカン４ｂなどの連結部材４で飾り５が取着されているもので、上記アクセサリーパーツ２の視覚情報ｂを色で構成し、この視覚情報（色）ｂを上記占い情報ａ１の中に記述されている「色」に対応してリング３と飾り５との何れか一方又は両方が色付けされて形成されていればよい。
【００１４】
なお、飾り５にナスカン４ｂからなる連結部材４設けた場合は、図１に示すように、リング３と飾り５とを分離した状態にし、占い情報の結果に対応してリング３と飾り５とを組み合わせることができるようにしてもよい。
【００１５】
上記構成の筆記具Ａによれば、筆記具本体１を机の上などで転がし、転がりが止まったときに読み取れる文字情報（占い情報ａ１）に記述されている色に対応した色ｂで構成されたリング３からなるアクセサリーパーツ２を選んで図２（ａ）に示すように、リング３に筆記具本体１を挿通させれば、図２（ｂ）に示すように、筆記具本体１にアクセサリーパーツ２を取着することができる。
【００１６】
このことにより、本日のラッキーカラーを備えた筆記具Ａを簡単に構成することができ、この筆記具Ａを携帯し、使用することで終日楽しく学習や仕事をすることができる。
【００１７】
なお、筆記具本体１を、図３（ａ）（ｂ）に示すように、六角軸で形成しアクセサリーパーツ２のリング３の開口部３ａを六角形にしても構わない。このことにより筆記具本体１の転がりが停止した時には文字情報ａ１である占い情報ａ１がより確実に判断することができる。
【００１８】
図４は、筆記具Ａの他の例を示すもので、この筆記具Ａは筆記具本体１を丸軸状に形成し、表面に表示する遊戯情報ａを動物や人形などのキャラクターの絵柄ａ２で構成するとともに文字情報ａ１を周面に並接して表示したものである。
【００１９】
一方、アクセサリーパーツ２は筆記具本体１に装着する筒状のキャップ６で構成したもので、このキャップ６の表面には上記絵柄ａ２を装飾する装飾絵柄ｃが表示され、キャップの後端周面は六角形状に外方に膨出して六角軸部７が形成されているものである。
【００２０】
上記構成の筆記具Ａによれば、筆記具本体１に表示されている絵柄ａ２に合った装飾絵柄ｃが表示されているキャップ６を選んで、図５（ａ）に示すように、キャップ６に筆記具本体１を差し込み、絵柄ａ２に装飾絵柄ｃが重なるようにキャップ６を周方向に回して絵柄ａ２と装飾絵柄ｃとの位置を合わせれば、図５（ｂ）に示すように、キャップ６に表示されている装飾絵柄（洋服）ｃが筆記具本体１に表示されている絵柄（女の子）ａ２の上に重なり、女の子に新しい洋服を着せたように見せることができる。しかも、女の子に洋服を着せた状態にすると、六角軸部７の一面７ａが上面になったとき、占い情報ａ１の１つ、例えば「本日のラッキーカラーは水色です」が上面を向くようになっている。
【００２１】
この状態で、筆記具本体１を転がすと、キャップ６の後端には六角軸部７が形成されいるので、その六面の何れかの面で筆記具本体１の転がりが停止することになり、そのときの出目である占い情報ａ１が確実に読み取れるので、筆記具本体１が丸軸であっても、占い情報を確実に判断することができる。
【００２２】
上述したように、筆記具本体１に予め表示されている遊戯情報ａに関連する情報を備えたアクセサリーパーツ２を筆記具本体１に取り付けることにより、筆記具Ａに付加価値を与え、筆記具本来の機能である筆記機能に加え装飾的な機能を付加することができ、携帯するだけでも楽しい筆記具を実現することができる。
【図面の簡単な説明】
【００２３】
【図１】本発明に係る筆記具の構成の一例を示す斜視図
【図２】（ａ）（ｂ）は上記筆記具の使用態様を説明する斜視図
【図３】（ａ）（ｂ）は上記筆記具の他の例を説明する斜視図
【図４】上記筆記具のさらに他の例を説明する斜視図
【図５】（ａ）（ｂ）は上記筆記具の使用態様を説明する斜視図
【符号の説明】
【００２４】
１    筆記具本体
２    アクセサリーパーツ
ａ    遊戯情報
ｂ    視覚情報
ｃ    装飾絵柄
Ａ    筆記具
【図１】
2008290253.tif 000003
【図２】
2008290253.tif 000004
【図３】
2008290253.tif 000005
【図４】
2008290253.tif 000006
【図５】
2008290253.tif 000007